(57)【特許請求の範囲】
【請求項１】
上枠、下枠及び左右一対の縦枠を有する枠体と、
下端部が前記枠体に支持され、上端部側が室内側に向かって内倒し可能に構成され、且つ左右のいずれか一方側が前記枠体に支持され、左右のいずれか他方側が前記室内側に向かって内開き可能に構成された障子と、を備えた建具であって、
前記障子の左右のいずれか前記一方側の前記室内側には、正面視で前記縦枠と重なるように配置される延出部が設けられ、
前記延出部の先端側の室外側の面は、前記障子が閉じた状態で、前記延出部の基端側の前記室外側の面よりも前記室内側に配置され、
前記延出部の前記室外側の面は、
前記基端側の前記室外側の面と、
前記先端側の前記室外側の面と、
前記基端側の室外側の面と前記先端側の室外側の面とを連結し、前記基端側の室外側の面から前記先端側の室外側の面に向かうにしたがって次第に前記室内側に向かうように傾斜する傾斜面と、を有していることを特徴とする建具。
【請求項２】
前記上枠、下枠及び縦枠の少なくともいずれかの前記室内側には、見付け方向に向かって立設された支持壁部が設けられ、
該支持壁部は、前記障子を開閉可能とする開閉機構が固定されるベース部を支持可能に構成されている請求項１に記載の建具。
【請求項３】
前記支持壁部の前記室外側に沿って、前記ベース部が配置されている請求項２に記載の建具。
【発明の詳細な説明】
【技術分野】
【０００１】
本発明は、構造物の開口部に設けられる建具に関するものである。
【背景技術】
【０００２】
従来から、構造物の開口部に設けられるサッシ（建具）として、下部が窓枠に固定され上側を室内側に開閉させる内倒し開閉可能、且つ見付け方向の一端側が窓枠に固定され他端側を室内側に開閉させる内開き可能な障子を備えたドレーキップ窓等が知られている。
【０００３】
例えば特許文献１に記載された内倒し兼内開き窓は、上枠、下枠及び左右の縦枠を有する窓枠と、窓枠に支持された障子と、障子をリンク機構で開閉する上部支持手段及び下部支持手段と、を備えている。上部支持手段は、一端部が障子の框の上端面に固定され、他端部が窓枠における框の上端面と対向する面に固定されている。また、下部支持手段は、一端部が障子の框の下端面に固定され、他端部が窓枠における框の下端面と対向する面に固定されている。
【先行技術文献】
【特許文献】
【０００４】
【特許文献１】特開２００８−１８００４６号公報
【発明の概要】
【発明が解決しようとする課題】
【０００５】
上記の特許文献１に記載された建具では、障子を内開きすると、上部支持手段及び下部支持手段のリンク機構の可動領域等の設計次第では、障子の吊元側の端部が縦枠に干渉して、開閉動作に支障が出たり、障子や縦枠を損傷させたりしてしまう畏れがある。
【０００６】
そこで、本発明は、上記事情に鑑みてなされたものであり、障子と縦枠との干渉を抑制することができる建具を提供する。
【課題を解決するための手段】
【０００７】
上記目的を達成するために、本発明は以下の手段を採用している。
すなわち、本発明に係る建具は、上枠、下枠及び左右一対の縦枠を有する枠体と、下端部が前記枠体に支持され、上端部側が室内側に向かって内倒し可能に構成され、且つ左右のいずれか一方側が前記枠体に支持され、左右のいずれか他方側が前記室内側に向かって内開き可能に構成された障子と、を備えた建具であって、前記障子の左右のいずれか前記一方側の前記室内側には、正面視で前記縦枠と重なるように配置される延出部が設けられ、前記延出部の先端側の室外側の面は、前記障子が閉じた状態で、前記延出部の基端側の前記室外側の面よりも前記室内側に配置され、前記延出部の前記室外側の面は、前記基端側の前記室外側の面と、前記先端側の前記室外側の面と、前記基端側の室外側の面と前記先端側の室外側の面とを連結し、前記基端側の室外側の面から前記先端側の室外側の面に向かうにしたがって次第に前記室内側に向かうように傾斜する傾斜面と、を有していることを特徴とする。
【０００８】
このように構成された建具では、障子の左右のいずれか一方側（吊元側）の室内側には、正面視で縦枠と重なるように配置される延出部が設けられている。また、延出部の先端側の室外側の面は、障子が閉じた状態で、延出部の基端側の室外側の面よりも室内側に配置されている。よって、延出部の先端側の室外側の面と縦枠との間の隙間が確保されるため、障子の内開き動作中において、障子の延出部の先端側が縦枠と干渉することが抑制される。
【０００９】
また、本発明に係る建具は、前記上枠、下枠及び縦枠の少なくともいずれかの前記室内側には、見付け方向に向かって立設された支持壁部が設けられ、該支持壁部は、前記障子を開閉可能とする開閉機構が固定されるベース部を支持可能に構成されていることが好ましい。
【００１０】
このように構成された建具では、上枠、下枠及び縦枠の少なくともいずれかの室内側には、見付け方向に向かって立設された支持壁部が設けられている。この支持壁部は、障子を開閉可能とする開閉機構が固定されるベース部を支持可能に構成されている。よって、例えば枠体が樹脂製であっても、支持壁部が設けられた上枠、下枠及び縦枠の少なくともいずれかは、ベース部を介して開閉機構を安定的に支持することができる。
【００１１】
また、本発明に係る建具は、前記支持壁部の前記室外側に沿って、前記ベース部が配置されていてもよい。
【００１２】
このように構成された建具では、支持壁部の室外側に沿って、ベース部が配置されている。よって、例えば開閉機構が金属製であっても、支持壁部の厚み分金属部分を室外側に寄せて配置することができるため、建具の断熱性を高めることができる。
【発明の効果】
【００１３】
本発明に係る建具によれば、障子と縦枠との干渉を抑制することができる。
【図面の簡単な説明】
【００１４】
【図１】本発明の一実施形態に係る建具の正面図である。
【図２】本発明の一実施形態に係る障子を室外側から見た斜視図である。
【図３】本発明の一実施形態に係る建具の動作（内開き）を示す横断面図の一部である。
【図４】本発明の一実施形態に係る建具の動作（内倒し）を示す横断面図の一部である。
【図５】図１のＡ−Ａ断面図である。
【図６】図１のＢ−Ｂ断面図である。
【図７】本発明の一実施形態に係る建具を内開きに開く途中の状態を示す横断面図の一部である。
【図８】本発明の一実施形態に係る建具を内開きに開いた状態を示す横断面図の一部である。
【発明を実施するための形態】
【００１５】
以下、本発明の建具の一実施形態の建具として、ドレーキップ窓を例に挙げて説明する。
図１は、本発明の一実施形態に係るドレーキップ窓の正面図である。図２は、本発明の一実施形態に係る障子を室外側からに見た斜視図である。図３は、本発明の一実施形態に係るドレーキップ窓の動作（内開き）を示す横断面図の一部である。図４は、本発明の一実施形態に係るドレーキップ窓の動作（内倒し）を示す横断面図の一部である。
図１から図４に示すように、ドレーキップ窓１００は、枠体１と、枠体１の内部に開閉可能に設置された障子３と、を備えている。ドレーキップ窓１００は、障子３の幅方向の一端部が枠体１に支持され障子３の他端部側を室内側に回動させるように内開きが可能であるとともに、障子３の下端部が枠体１に支持され障子３の上端部側を室内側に回動させるように内倒しが可能な構成とされている。
【００１６】
図１に示すように、枠体１は、水平方向に延在する上枠１１及び下枠１２と、上枠１１の両端部と下枠１２の両端部とをそれぞれ連結する縦枠１３と、を有している。上枠１１、下枠１２及び縦枠１３は、樹脂製の中空構造で形成されている。これら上枠１１、下枠１２及び縦枠１３を総称して、単に枠１０と称することがある。
【００１７】
図５は、図１のＡ−Ａ縦断面図である。図６は、図１のＢ−Ｂ横断面図である。
図５及び図６に示すように、上枠１１、下枠１２及び縦枠１３には、障子３と対向する部分に気密材１９がそれぞれ設けられている。これにより、気密性が高められるとともに、風雨の室内側への浸入が阻止される。
【００１８】
図１に示すように、障子３は、水平方向に延在する上框３１及び下框３２と、上框３１の両端部と下框３２の両端部とをそれぞれ連結する縦框３３と、を有し四角形枠状に形成されている。上框３１、下框３２及び縦框３３は、樹脂製の中空構造で形成されている。これら上框３１、下框３２及び縦框３３を総称して、単に框３０と称することがある。
【００１９】
一方の縦框３３には、操作ハンドル３７が設けられている。操作ハンドル３７には切替部（図２参照、開閉機構）３８が設けられ、切替部３８が縦枠１３に設けられたハンドル支持部（不図示。以下同じ。開閉機構）に支持されている。
【００２０】
操作ハンドル３７は、図１に示す先端部が下向きとなる下向きＡ１位置から、先端部が上向きとなるＡ３位置まで、正面視で反時計回りに回動可能とされている。Ａ１位置では障子３が枠体１内に納まる閉位置とされ、正面視で先端部が水平をなすＡ２位置では内開き動作が可能とされ、Ａ３位置では内倒し動作が可能とされている。
【００２１】
四角枠状に形成された上框３１、下框３２及び縦框３３の内部には、例えばペアガラス等の複層ガラス３９が納められている。
【００２２】
図５及び図６に示すように、上框３１、下框３２及び縦框３３の室外側の端部には、複層ガラス３９側に向かって延び、複層ガラス３９の端部を支持するガラス支持部４１が設けられている。
【００２３】
また、上框３１、下框３２及び縦框３３の室内側における複層ガラス３９と対向する面には、複層ガラス３９から離間する方向に向かって凹む取付凹部４２が形成されている。取付凹部４２には、複層ガラス３９の端部を支持する押縁４３が嵌め込まれている。複層ガラス３９は、ガラス支持部４１と押縁４３との間で固定されている。
【００２４】
上框３１、下框３２及び縦框３３の室内側には、見付け方向の外側（複層ガラス３９と反対側）に向かって延びる延出壁部（延出部）４６が設けられている。ここで、見付け方向とは、障子３に沿った上下方向、及び上下方向と直交し障子３に沿った水平方向をいう。
【００２５】
上框３１の延出壁部４６、下框３２の延出壁部４６及び縦框３３の延出壁部４６は、それぞれ正面視において、上枠１１、下枠１２及び縦枠１３と重なる位置まで延びている。
【００２６】
各延出壁部４６の室外側の面は、基端側の面（基端側の室外側の面）４６Ａと、先端側の面（先端側の室外側の面）４６Ｂと、基端側の面４６Ａと先端側の面４６Ｂとを連結する傾斜面４６Ｃと、を有している。
【００２７】
障子３が閉じた状態で、先端側の面４６Ｂは、基端側の面４６Ａよりも室内側に配置されている。傾斜面４６Ｃは、基端側の面４６Ａから先端側の面４６Ｂに向かうにしたがって次第に室内側に向かうように傾斜している。
【００２８】
先端側の面４６Ｂには、室内側に向かって凹む挿入溝４７が形成されている。挿入溝４７には、気密材４８が嵌め込まれている。気密材４８は、各延出壁部４６と対応する上枠１１、下枠１２及び縦枠１３との間の隙間を埋めている。
【００２９】
これら枠１０内及び框３０内には、障子３を内開き動作及び内倒し動作させるヒンジ機構（開閉機構）６（図３参照。以下同じ。）や、操作ハンドル３７の動作とヒンジ機構６の動作とを連動させる連動バー８（図２参照。以下同じ。）等の機能部品５が配置されている。次に、枠１０及び框３０内に機能部品５を配置するための構成について説明する。
【００３０】
まず、枠１０側の構成について説明する。
枠１０における障子３と対向する端面には、障子３から離間する方向に凹む凹溝２０が形成されている。凹溝２０は、枠１０の延在方向に沿って形成されている。
【００３１】
換言すると、凹溝２０は、障子３と対向する底部２１と、底部２１の見込み方向両側からそれぞれ複層ガラス３９側（見付け方向）に向かって立ち上がる立設壁部（支持壁部）２２と、を有している。室内側の立設壁部２２は、枠１０の室内側の面１０Ａと同一平面上に配置されている。
【００３２】
立設壁部２２の端部には、対向する立設壁部２２に向かって延びる爪部２３が設けられている。
【００３３】
この凹溝２０には、所定の位置に枠側台座部（ベース部）２５が設けられている。枠側台座部２５は、見込み方向に沿う断面がコの字状に形成されている。枠側台座部２５は、凹溝２０の底部２１に配置される取付壁部２６と、取付壁部２６の見込み方向両端部からそれぞれ立ち上がる立設壁部２７と、を有している。本実施形態では、枠側台座部２５はアルミ形材により構成されている。
【００３４】
立設壁部２７の端部には、対向する立設壁部２７に向かって延びる内向き爪部２８及び対向する立設壁部２７と反対側に向かって延びる外向き爪部２９がそれぞれ設けられている。立設壁部２７は、凹溝２０の立設壁部２２に支持されている。また、外向き爪部２９は、凹溝２０の立設壁部２２の爪部２３と係合している。
【００３５】
枠側台座部２５の取付壁部２６は、凹溝２０の底部２１に沿って配置されている。取付壁部２６には、取付孔（不図示。以下同じ。）が形成されている。取付孔から挿通された螺子２６Ｓが、凹溝２０の底部２１に螺合されている。これにより、枠側台座部２５は、枠１０の凹溝２０内に固定されている。
【００３６】
枠側台座部２５の内部には、障子３を開閉可能とするヒンジ機構６等の機能部品５が設けられている。機能部品５は、所望の形状で形成されていて、例えば図５に示すように枠側台座部２５内に配置される挿通部５Ａと、枠側台座部２５の内向き爪部２８を挟んで挿通部５Ａと反対側に配置される外側壁部５Ｂと、を有している。
【００３７】
枠１０を溶着等により組み付けた後、枠側台座部２５の立設壁部２７を互いに近接させる方向に弾性変形させて、枠１０の凹溝２０内に挿入して嵌め込む。そして、挿通部５Ａと外側壁部５Ｂとで枠側台座部２５の内向き爪部２８を挟み込むとともに、不図示の螺子により機能部品５が枠側台座部２５に螺子止めされることで、機能部品５が枠側台座部２５に固定される。
【００３８】
次に、框３０側の構成について説明する。
框３０における枠１０と対向する端面には、枠１０から離間する方向に凹む凹溝５０が形成されている。凹溝５０は、框３０の延在方向に沿って形成されている。
【００３９】
換言すると、凹溝５０は、枠１０と対向する底部５１と、底部５１の見込み方向両側からそれぞれ複層ガラス３９と反対側に立ち上がる立設壁部５２と、を有している。
【００４０】
立設壁部５２の端部には、対向する立設壁部５２に向かって延びる爪部５３が設けられている。
【００４１】
この凹溝５０には、框３０の延在方向に沿って框側台座部（ベース部）５５が設けられている。框側台座部５５は、框側台座部５５は、凹溝５０の底部５１に配置される取付壁部５６と、取付壁部５６の見込み方向両端部からそれぞれ立ち上がる立設壁部５７と、を有している。本実施形態では、框側台座部５５はアルミ形材により構成されている。
【００４２】
立設壁部５７の基部には、対向する立設壁部５７と反対側に向かって延びる係合爪部５８が設けられている。係合爪部５８は、凹溝５０の爪部５３と係合している。
【００４３】
また、立設壁部５７の端部には、対向する立設壁部５７に向かって延びる内向き爪部５９が設けられている。
【００４４】
框側台座部５５の取付壁部５６は、凹溝５０の底部５１に沿って配置されている。取付壁部５６には、取付孔（不図示。以下同じ。）が形成されている。取付孔から挿通された螺子５６Ｓが、凹溝５０の底部５１に螺合されている。これにより、框側台座部５５は、框３０の凹溝５０内に固定されている。
【００４５】
框側台座部５５の内部には、障子３を開閉可能とするヒンジ機構６等の機能部品５が設けられている。機能部品５は、所望の形状で形成されていて、例えば框側台座部５５の内向き爪部５９間に配置される基部５Ｃと、基部５Ｃの見込み方向両側からそれぞれ見込み方向外側に延び框側台座部５５の取付壁部５６と内向き爪部５９との間に係合される係合片５Ｄ、とを有している。
【００４６】
框３０を溶着等により組み付けた後、框３０の端部から、係合片５Ｄを框側台座部５５の取付壁部５６と内向き爪部５９との間に差し込まようにスライドさせる。そして、不図示の螺子により機能部品５は框側台座部５５に螺子止めされることで、機能部品５は框側台座部５５に固定される。
【００４７】
上記の枠側台座部２５及び框側台座部５５に固定される機能部品５の一例として、ヒンジ機構６の構成について図３及び図４を用いて説明する。
【００４８】
ヒンジ機構６は、上枠１１（図１参照。以下同じ。）に設けられた上部支持部（不図示。開閉機構）に連結されたリンク機構６０と、リンク機構６０に連結されたフレーム部７１と、フレーム部７１を支持するフレーム支持部７２と、を有している。
【００４９】
リンク機構６０は、第一リンク部材６１と、第二リンク部材６２と、第三リンク部材６３と、を有している。第一リンク部材６１と第二リンク部材６２とはピン６４を介して、回動可能に連結されている。第一リンク部材６１と第三リンク部材６３とはピン６５を介して、回動可能に連結されている。
【００５０】
第二リンク部材６２とフレーム部７１とは、ピン６６を介して回動可能に連結されている。第三リンク部材６３とフレーム部７１とは、ピン６７を介して回動可能に連結されている。
【００５１】
フレーム部７１は、上框３１の上面にピン７３を介して回動可能に連結されている。フレーム部７１はフレーム支持部７２にピン７４を介して連結されている。フレーム部７１には、下向きに延びる切替ピン７５が設けられている。
【００５２】
フレーム支持部７２は、上框３１の上面にピン７６を介して回動可能に連結されている。
【００５３】
図２に示すように、上框３１の上面には、切替ピン７５を係合可能なピン係合部７７が設けられている。ピン係合部７７と、操作ハンドル３７の切替部３８とは、連動バー８で連結されている。
【００５４】
操作ハンドル３７（図１参照）がＡ１位置からＡ２位置まで回動すると、操作ハンドル３７の切替部３８（図２参照）が縦枠１３のハンドル支持部（不図示。以下同じ。）に支持された状態が解除される。これにより、リンク機構６０（図３参照）は上枠１１に設けられた上部支持部（不図示。以下同じ。）を中心に動作し、障子３は内開きが可能となる。
【００５５】
図７は、ドレーキップ窓１００を内開きに開く途中の状態を示す横断面図の一部である。図８は、ドレーキップ窓１００を内開きに開いた状態を示す横断面図の一部である。
図６に示すように、先端側の面４６Ｂは、基端側の面４６Ａよりも室内側に配置されている。このため、図７及び図８に示すように、障子３を内開きにする動作中において、吊元側の縦框３３の延出壁部４６が縦枠１３と干渉することはない。
【００５６】
操作ハンドル３７（図１参照）がＡ２位置からＡ３位置まで回動するにともなって、連動バー８（図２参照）は、框３０の端面に沿って、室内側からの正面視において反時計回りに移動する。そして、ヒンジ機構６の切替ピン７５（図３参照）が上框３１のピン係合部７７（図２参照）との係合状態が解除される。これにより、図４に示すように、フレーム部７１はピン７３を中心に回動して、障子３は内倒しが可能となる。
なお、同様に構成されたヒンジ機構６は、下框３２側にも設けられているが、説明を省略する。
【００５７】
このように構成されたドレーキップ窓１００では、障子３の縦框３３の室内側には、正面視で縦枠１３と重なるように配置される延出壁部４６が設けられている。また、延出壁部４６の先端側の面４６Ｂは、障子３が閉じた状態で、延出壁部４６の基端側の面４６Ａよりも室内側に配置されている。よって、延出壁部４６の先端側の面４６Ｂと縦枠１３との間の隙間が確保されるため、障子３の内開き動作中において、障子３の延出壁部４６の先端側が縦枠１３と干渉することが防止される。
【００５８】
また、上枠１１、下枠１２及び縦枠１３には、見付け方向に向かって立設された立設壁部２２が設けられている。この立設壁部２２は、障子３を開閉可能とするヒンジ機構６等の機能部品５が固定される枠側台座部２５を支持可能に構成されている。よって、例えば枠体１が樹脂製であっても、立設壁部２２が設けられた上枠１１、下枠１２及び縦枠１３は、枠側台座部２５を介して機能部品５を安定的に支持することができる。
【００５９】
また、立設壁部２２の室外側に沿って、枠側台座部２５が配置されている。よって、例えば機能部品５が金属製であっても、立設壁部２２の厚み分金属部分を室外側に寄せて配置することができるため、建具の断熱性を高めることができる。
【００６０】
なお、上述した実施の形態において示した各構成部材の諸形状や組み合わせ等は一例であって、本発明の主旨から逸脱しない範囲において設計要求等に基づき種々変更可能である。
【００６１】
例えば、上記に示す実施形態において、上框３１、下框３２及び縦框３３のそれぞれに延出部が設けられているが、本発明はこれに限られない。少なくとも吊元側の縦框３３に延出部が設けられていればよい。
【００６２】
また、立設壁部２２は、底部２１の見込み方向両側から立設されているが、本発明はこれに限られない。底部２１の少なくとも室内側に設けられていればよい。
【符号の説明】
【００６３】
１００…ドレーキップ窓（建具）
１…枠体
３…障子
５…機能部品
６…ヒンジ機構（開閉機構）
８…連動バー
１０…枠
１１…上枠
１２…下枠
１３…縦枠
２０…凹溝
２２…立設壁部（支持壁部）
２５…枠側台座部（ベース部）
３０…框
３１…上框
３２…下框
３３…縦框
３７…操作ハンドル
３８…切替部（開閉機構）
３９…複層ガラス
４１…ガラス支持部
４３…押縁
４６…延出壁部（延出部）
４６Ａ…基端側の面（基端側の室外側の面）
４６Ｂ…先端側の面（先端側の室外側の面）
４６Ｃ…傾斜面
４７…挿入溝
４８…気密材
５０…凹溝
５５…框側台座部（ベース部）
６０…リンク機構
６１…第一リンク部材
６２…第二リンク部材
６３…第三リンク部材
７１…フレーム部
７２…フレーム支持部
【図１】
0006659328.tif 000002
【図２】
0006659328.tif 000003
【図３】
0006659328.tif 000004
【図４】
0006659328.tif 000005
【図５】
0006659328.tif 000006
【図６】
0006659328.tif 000007
【図７】
0006659328.tif 000008
【図８】
0006659328.tif 000009